(57)【要約】      （修正有）【課題】個人情報の秘匿を確保しながらもグループ内の利用に適した通信仲介システムを提供する。【解決手段】通信仲介システムは、記憶部と、第１制御部と、第２制御部と、を備えている。記憶部は、グループに属するメンバーにそれぞれ対応した個別名と、メンバーの携帯電話にそれぞれに対応した個別接続情報と、グループ内で共通に利用されるグループ電話番号と、を記憶している。第１制御部は、通信仲介サイト上においてメンバーの個別接続情報は表示させずにメンバーの個別名を選択可能に表示させる。第２制御部は、通信仲介サイト上においてメンバーＡによりメンバーＢの個別名が選択された場合に、グループ電話番号を用いて第１のメンバーの携帯電話と第２のメンバーの携帯電話の双方に発信を行った上で、携帯電話と携帯電話との間の通話を確立させる。【選択図】図３（ａ）
2014225856.tif 000002
【特許請求の範囲】
【請求項１】
グループに属する複数のメンバー間の通信機器による通信の仲介を行う通信仲介システムであって、
前記複数のメンバーにそれぞれ対応した複数の個別名と、前記複数のメンバーがそれぞれ有する複数の通信機器にそれぞれに対応した複数の個別接続情報と、前記グループ内で共通に利用されるグループ電話番号と、を記憶可能な記憶部と、
ＷＥＢ上の通信仲介サイト上において、前記複数の個別接続情報は表示させずに前記複数の個別名を選択可能に表示させる第１制御部と、
前記通信仲介サイト上において前記複数のメンバーのうちの第１のメンバーにより他の第２のメンバーの個別名が選択された場合に、前記グループ電話番号を用いて前記第１のメンバーの通信機器と前記第２のメンバーの通信機器の双方に発信を行った上で、前記第１のメンバーの通信機器と前記第２のメンバーの通信機器との間の通話を確立させる第２制御部と、
を備えたことを特徴とする通信仲介システム。
【請求項２】
前記第２制御部は、前記通信仲介サイト上において前記第１のメンバーにより前記第２のメンバーの個別名が選択された場合に、前記第１のメンバーの個別接続情報を第２のメンバーの通信機器に送信することなしに、前記第１のメンバーの個別名を前記第２のメンバーの通信機器に送信することを特徴とする請求項１に記載の通信仲介システム。
【請求項３】
前記記憶部は、前記複数のメンバーに対応した複数の個別パスワードを更に記憶可能であり、
前記第１制御部は、前記通信仲介サイト上において、前記個別名に対応する個別パスワードを入力することなしに前記個別名に対応する個別接続情報にアクセスすることを禁止することを特徴とする請求項１又は２に記載の通信仲介システム。
【請求項４】
前記第１制御部は、前記通信仲介サイト上において所定期間に亘って一のメンバーの個別パスワードが入力されなかった場合には、前記一のメンバーに対応する個別名を前記通信仲介サイト上に表示させることを停止することを特徴とする請求項３に記載の通信仲介システム。
【請求項５】
グループに属する複数のメンバー間の通信機器による通信の仲介を行う通信仲介システムであって、
前記複数のメンバーにそれぞれ対応した複数の個別名と、前記複数のメンバーがそれぞれ有する複数の通信機器にそれぞれに対応した複数の個別接続情報と、前記複数のメンバーのうちの第１のメンバーにより他の第２のメンバーに対して作成されたメールと、を記憶可能な記憶部と、
ＷＥＢ上の通信仲介サイト上において、前記複数の個別接続情報は表示させずに前記複数の個別名を選択可能に表示させる第１制御部と、
前記通信仲介サイト上において前記第１のメンバーにより前記第２のメンバーの個別名が選択された場合に、前記メールが前記記憶部に記憶されていることを前記第２のメンバーの通信機器に通知する第２制御部と、
を備えたことを特徴とする通信仲介システム。
【請求項６】
前記記憶部は、前記複数のメンバーに対応した複数の個別パスワードを更に記憶可能であり、
前記第１制御部は、前記通信仲介サイト上において、前記個別名に対応する個別パスワードを入力することなしに前記個別名に対応する個別接続情報にアクセスすることを禁止することを特徴とする請求項５に記載の通信仲介システム。
【請求項７】
前記第１制御部は、前記通信仲介サイト上において所定期間に亘って一のメンバーの個別パスワードが入力されなかった場合には、前記一のメンバーに対応する個別名を前記通信仲介サイト上に表示させることを停止することを特徴とする請求項６に記載の通信仲介システム。
【発明の詳細な説明】
【技術分野】
【０００１】
本発明は、通信仲介システムに関する。
【背景技術】
【０００２】
従来より、グループに属するメンバーの連絡先をＷＥＢ上のアドレス帳に表示する技術が知られている。（例えば、特許文献１参照）。
【先行技術文献】
【特許文献】
【０００３】
【特許文献１】特開２０１０−９７４９５号公報
【発明の概要】
【発明が解決しようとする課題】
【０００４】
しかしながら、同一のグループに所属しているメンバーやグループの管理者に対しても、自己の連絡先を開示したくないという要望がある。
【０００５】
そこで、本発明は、個人情報の秘匿を確保しながらもグループ内の利用に適した通信仲介システムを提供することを目的としている。
【課題を解決するための手段】
【０００６】
本発明は、グループに属する複数のメンバー間の通信機器による通信の仲介を行う通信仲介システムであって、前記複数のメンバーにそれぞれ対応した複数の個別名と、前記複数のメンバーがそれぞれ有する複数の通信機器にそれぞれに対応した複数の個別接続情報と、前記グループ内で共通に利用されるグループ電話番号と、を記憶可能な記憶部と、ＷＥＢ上の通信仲介サイト上において、前記複数の個別接続情報は表示させずに前記複数の個別名を選択可能に表示させる第１制御部と、前記通信仲介サイト上において前記複数のメンバーのうちの第１のメンバーにより他の第２のメンバーの個別名が選択された場合に、前記グループ電話番号を用いて前記第１のメンバーの通信機器と前記第２のメンバーの通信機器の双方に発信を行った上で、前記第１のメンバーの通信機器と前記第２のメンバーの通信機器との間の通話を確立させる第２制御部と、を備えたことを特徴とする通信仲介システムを提供している。
【０００７】
このような構成によれば、メンバー間での通信時に、通信仲介サイト上及び第２のメンバーの通信機器の表示部のいずれにも第１のメンバーの個別接続情報は表示されない。これにより、同一グループ内であっても、個人情報が漏れることが防止されている。
【０００８】
また、前記第２制御部は、前記通信仲介サイト上において前記第１のメンバーにより前記第２のメンバーの個別名が選択された場合に、前記第１のメンバーの個別接続情報を第２のメンバーの通信機器に送信することなしに、前記第１のメンバーの個別名を前記第２のメンバーの通信機器に送信することが好ましい。
【０００９】
このような構成によれば、グループ電話番号を用いて行われるメンバー間の通話であっても、誰からの着信であるかを認識することが可能となる。しかも、発信者の個人名を送信する際に、発信者の個別接続情報は送信されないので、個人情報の秘匿も確保されている。
【００１０】
また、前記記憶部は、前記複数のメンバーに対応した複数の個別パスワードを更に記憶可能であり、前記第１制御部は、前記通信仲介サイト上において、前記個別名に対応する個別パスワードを入力することなしに前記個別名に対応する個別接続情報にアクセスすることを禁止することが好ましい。
【００１１】
このような構成によれば、個人情報の取り扱いの際に、管理人を含む他人の介入が不要となるので、同一グループ内の個人情報の秘匿が一層確保される。
【００１２】
また、前記第１制御部は、前記通信仲介サイト上において所定期間に亘って一のメンバーの個別パスワードが入力されなかった場合には、前記一のメンバーに対応する個別名を前記通信仲介サイト上に表示させることを停止することが好ましい。
【００１３】
このような構成によれば、メンバーが登録の削除を行わないでグループから脱退したような場合であっても、不要な個別識別情報が通信仲介サイト上に表示され続けるようなことが防止される。
【００１４】
また、本発明の別の観点によれば、グループに属する複数のメンバー間の通信機器による通信の仲介を行う通信仲介システムであって、前記複数のメンバーにそれぞれ対応した複数の個別名と、前記複数のメンバーがそれぞれ有する複数の通信機器にそれぞれに対応した複数の個別接続情報と、前記複数のメンバーのうちの第１のメンバーにより他の第２のメンバーに対して作成されたメールと、を記憶可能な記憶部と、ＷＥＢ上の通信仲介サイト上において、前記複数の個別接続情報は表示させずに前記複数の個別名を選択可能に表示させる第１制御部と、前記通信仲介サイト上において前記第１のメンバーにより前記第２のメンバーの個別名が選択された場合に、前記メールが前記記憶部に記憶されていることを前記第２のメンバーの通信機器に通知する第２制御部と、を備えたことを特徴とする通信仲介システムを提供している。
【００１５】
このような構成によれば、メンバー間での通信時に、ＷＥＢ上及び第２のメンバーの通信機器の表示部のいずれにも第１のメンバーの個別接続情報は表示されない。これにより、同一グループ内であっても、個人情報が漏れることが防止されている。
【００１６】
また、前記記憶部は、前記複数のメンバーに対応した複数の個別パスワードを更に記憶可能であり、前記第１制御部は、前記通信仲介サイト上において、前記個別名に対応する個別パスワードを入力することなしに前記個別名に対応する個別接続情報にアクセスすることを禁止することが好ましい。
【００１７】
このような構成によれば、個人情報の取り扱いの際に、管理人を含む他人の介入が不要となるので、同一グループ内の個人情報の秘匿が一層確保される。
【００１８】
また、前記第１制御部は、前記通信仲介サイト上において所定期間に亘って一のメンバーの個別パスワードが入力されなかった場合には、前記一のメンバーに対応する個別名を前記通信仲介サイト上に表示させることを停止することが好ましい。
【００１９】
このような構成によれば、メンバーが登録の削除を行わないでグループから脱退したような場合であっても、不要な個別識別情報が通信仲介サイト上に表示され続けるようなことが防止される。
【発明の効果】
【００２０】
本発明の通信仲介システムによれば、個人情報の秘匿を確保しながらもグループ内の利用に適した通信仲介サービスを提供することが可能となる。
【図面の簡単な説明】
【００２１】
【図１】本発明の第１の実施の形態による通信仲介システムの模式図
【図２（ａ）】本発明の第１の実施の形態による第１メニュー選択画面を示す図
【図２（ｂ）】本発明の第１の実施の形態による登録画面を示す図
【図２（ｃ）】本発明の第１の実施の形態による第２メニュー選択画面を示す図
【図２（ｄ）】本発明の第１の実施の形態による編集画面を示す図
【図２（ｅ）】本発明の第１の実施の形態による通信先選択画面を示す図
【図３（ａ）】本発明の第１の実施の形態による第１制御部による制御のフローチャート
【図３（ｂ）】本発明の第１の実施の形態による第１制御部による制御のフローチャート
【図４】本発明の第１の実施の形態による第２制御部による通話制御のフローチャート
【図５】本発明の第１の実施の形態による第２制御部によるメール制御のフローチャート
【図６】本発明の第２の実施の形態による個人名送信についての説明図
【発明を実施するための形態】
【００２２】
以下、本発明の第１の実施の形態による通信仲介システム１について、図１〜図５を参照して説明する。
【００２３】
図１は、本実施の形態による通信仲介システム１の模式図である。
【００２４】
通信仲介システム１は、例えば、学校のクラス等のグループに属する複数のメンバー間の通信機器による通信の仲介を行うためのものであり、本実施の形態では、通信仲介システム１について、通信仲介システム１と契約しているグループＸに属するメンバーＡ（携帯電話２）とメンバーＢ（携帯電話３）との間の通信を例に説明する。
【００２５】
まず、前提として、通信仲介システム１、携帯電話（スマートフォン）２、及び、携帯電話（スマートフォン）３は、インターネット網４を用いてインターネット、メール等の利用が可能になっているものとする。そして、通信仲介システム１は、インターネット網４上で通信仲介サイト１１を開設しているものとする。
【００２６】
また、通信仲介システム１は、プロバイダとＩＰ電話サービスの契約を締結していることにより、ＩＰ網５の範囲内でＩＰ電話の利用が可能になっている。そして、通信仲介システム１は、プロバイダから、グループＸのＩＰ通信用の一のブロードバンド回線、及び、当該ブロードバンド回線に対応した一のグループ電話番号と、通信仲介システム１用のメールアドレスと、が提供されているものとする。一方で、携帯電話２及び携帯電話３は、プロバイダとＩＰ電話サービスの契約を締結していないため、通話の際には、電話網６を利用する必要があるものとする。
【００２７】
上記前提の下、グループＸに属するメンバーは、通信仲介サイト１１にアクセスすることにより、他のメンバーとの通信を要求することができる。以下、通信仲介システム１の詳細について説明する。
【００２８】
まず、通信仲介システム１の構成について説明する。
【００２９】
図１に示すように、通信仲介システム１は、記憶部７と、第１制御部８と、第２制御部９と、を備えている。
【００３０】
記憶部７は、グループに関するグループ情報、及び、グループに属するメンバーに関する個別情報を記憶可能な構成となっている。
【００３１】
グループ情報は、グループ識別情報（グループＩＤ、グループパスワード、グループ名）と、グループ電話番号と、に分類される。
【００３２】
個別情報は、個別識別情報（メンバーの個別ＩＤ、個別パスワード、個別名）と、個別接続情報（メンバーの個別電話番号、個別メールアドレス）と、に分類される。
【００３３】
第１制御部８は、記憶部７と協働して、グループに属するメンバーに対し、図２（ａ）〜図２（ｅ）に示すような画面８１〜８５を通信仲介サイト１１上に表示させることが可能である。グループに属するメンバーは、上記画面を介して、記憶部７への個別情報の登録、他のメンバーとの通信等のサービスの提供を要求することができる。
【００３４】
第２制御部９は、上記画面を介して通信要求が行われた場合に通信の制御を行うためのものである。詳細には、図１に示すように、携帯電話２と携帯電話３との間の通信は、第２制御部９を介して、ＩＰ網５と電話網６の両方を用いて行われることとなる。
【００３５】
なお、第１制御部８及び第２制御部９としては、ＳＩＰサーバ等を用いることが考えられる。
【００３６】
次に、図３（ａ）及び図３（ｂ）のフローチャートを用いて、メンバーＸが通信仲介サイト１１にアクセスした際の、第１制御部８による制御について説明する。なお、以下の説明では、記憶部７へのグループＸの登録は既に完了しており、グループＩＤ及びグループパスワードが設定されているものとする。
【００３７】
まず、メンバーＡが通信仲介サイト１１にアクセスすると（Ｓ１０１：ＹＥＳ）、第１制御部８は、グループＩＤ及びグループパスワードを入力するための第１入力画面（図示せず）を通信仲介サイト１１上に表示させる（Ｓ１０２）。
【００３８】
第１入力画面において、設定されているグループＩＤ及びグループパスワードが入力されると（Ｓ１０３：ＹＥＳ）、第１制御部８は、第１メニュー選択画面８１（図２（ａ））を通信仲介サイト１１上に表示させる（Ｓ１０４）。第１メニュー選択画面８１には、“新規登録”ボタン８１１及び”個別メニュー”ボタン８１２が表示される。
【００３９】
次に、第１制御部８は、第１メニュー選択画面８１において選択されたメニューが“新規登録”であるか否かを判断する（Ｓ１０５）。
【００４０】
第１メニュー選択画面８１において選択されたメニューが“新規登録”である場合（Ｓ１０５：ＹＥＳ）、第１制御部８は、登録画面８２（図２（ｂ））を通信仲介サイト１１上に表示させる（Ｓ１０６）。登録画面８２には、“個別ＩＤ”入力欄８２１、“個別パスワード”入力欄８２２、“個別名”入力欄８２３、“個別電話番号”入力欄８２４、及び“個別メールアドレス”入力欄８２５が表示される。
【００４１】
登録画面８２において、入力が完了すると（Ｓ１０７：ＹＥＳ）、第１制御部８は、入力された情報を記憶部７に登録した上で（Ｓ１０８）、Ｓ１０４に戻る。
【００４２】
一方、第１メニュー選択画面８１において選択されたメニューが“新規登録”でない場合、すなわち、選択されたメニューが”個別メニュー”である場合には（Ｓ１０５：ＮＯ）、第１制御部８は、個別ＩＤ及び個別パスワードを入力するための第２入力画面（図示せず）を通信仲介サイト１１上に表示させる（Ｓ１０９）。
【００４３】
第２入力画面において、登録済みの個別ＩＤ及び個別パスワード（本実施の形態では、メンバーＡ用）が入力されると（Ｓ１１０：ＹＥＳ）、第１制御部８は、第２メニュー選択画面８３（図２（ｃ））を通信仲介サイト１１上に表示させる（Ｓ１１１）。第２メニュー選択画面８３には、”編集”ボタン８３１、”登録削除”ボタン８３２、”受信メール”ボタン８３３、”通話”ボタン８３４、及び、”メール送信”ボタン８３５が表示される。
【００４４】
ここで、第１制御部８は、まず、第２メニュー選択画面８３において選択されたメニューが“編集”であるか否かを判断する（Ｓ１１２）。
【００４５】
第２メニュー選択画面８３において選択されたメニューが“編集”である場合（Ｓ１１２：ＹＥＳ）第１制御部８は、メンバーＡ用の編集画面８４（図２（ｄ））を通信仲介サイト１１上に表示させる（Ｓ１１３）。編集画面８４には、“個別名”編集欄８４１、“個別電話番号”編集欄８４２、及び、”個別メールアドレス”編集欄８４３が編集可能に表示される。
【００４６】
編集画面８４において、編集が完了すると（Ｓ１１４：ＹＥＳ）、第１制御部８は、編集された情報を記憶部７に登録した上で（Ｓ１１５）、Ｓ１１１に戻る。
【００４７】
一方、第２メニュー選択画面８３において選択されたメニューが“編集”でない場合（Ｓ１１２：ＮＯ）、第１制御部８は、続いて、第２メニュー選択画面８３において選択されたメニューが“登録削除”であるか否かを判断する（Ｓ１１６）。
【００４８】
第２メニュー選択画面８３において選択されたメニューが“登録削除”である場合（Ｓ１１６：ＹＥＳ）、第１制御部８は、確認画面を表示した後に、メンバーＡの登録を削除した上で（Ｓ１１７）、Ｓ１０４に戻る。
【００４９】
一方、第２メニュー選択画面８３において選択されたメニューが“削除”でない場合（Ｓ１１６：ＮＯ）、第１制御部８は、続いて、第２メニュー選択画面８３において選択されたメニューが“受信メール”であるか否かを判断する（Ｓ１１８）。
【００５０】
第２メニュー選択画面８３において選択されたメニューが“受信メール”である場合（Ｓ１１８：ＹＥＳ）、第１制御部８は、メンバーＡ宛に記憶部７内に保存されているメール内容を通信仲介サイト１１上に表示させ（Ｓ１１９）、メール内容の閲覧が終了した後に（Ｓ１２０：ＹＥＳ）、Ｓ１１１に戻る。
【００５１】
一方、第２メニュー選択画面８３において選択されたメニューが“受信メール”でない場合（Ｓ１１８：ＮＯ）、第１制御部８は、通信先選択画面８５（図２（ｅ））を通信仲介サイト１１上に表示させる（Ｓ１２１）。通信先選択画面８５には、記憶部７に登録されている複数の個別名８５１が選択可能に表示される。
【００５２】
ここで、通信先選択画面８５には、複数の個別名８５１が表示されるだけで、個別接続情報（個別電話番号及び個別メールアドレス）は表示されない。このような構成により、通信仲介システム１では、個人情報を秘匿している。
【００５３】
通信先選択画面８５において、通信先が選択されると（Ｓ１２２：ＹＥＳ）、第１制御部８は、続いて、第２メニュー選択画面８３において選択されたメニューが“通話”であるか否かを判断する（Ｓ１２３）。
【００５４】
第２メニュー選択画面８３において選択されたメニューが“通話”である場合（Ｓ１２３：ＹＥＳ）、第１制御部８は、メンバーＡ（携帯電話２）の個別電話番号、グループ電話番号、及び、選択された個別名、に対応した個別電話番号を含む通話要求を第２制御部へ送信した上で（Ｓ１２４）、Ｓ１１１に戻る。
【００５５】
一方、第２メニュー選択画面８３において選択されたメニューが“通話”でない場合（Ｓ１２３：ＮＯ）、選択されたメニューは“メール送信”なので、第１制御部８は、メール作成画面（図示せず）をＷＥＢ上に表示させる（Ｓ１２５）
【００５６】
メール作成画面において、入力が完了すると（Ｓ１２６：ＹＥＳ）、第１制御部８は、メール内容を記憶部７内に保存すると同時に（Ｓ１２７）、選択された個別名に対応した個別メールアドレスを含むメール要求を第２制御部へ送信し（Ｓ１２８）、Ｓ１１１に戻る。
【００５７】
続いて、図４のフローチャートを用いて、図３（ｂ）のＳ１２４において通話要求が送信された場合の、第２制御部９による通話制御について説明する。
【００５８】
以下では、図２（ｅ）の通信先選択画面８５及び図３（ｂ）のＳ１２２で、メンバーＢ（携帯電話３）が選択された場合を例に説明する。
【００５９】
まず、第１制御部８から通話要求を受け取ると（Ｓ２０１：ＹＥＳ）、第２制御部９は、グループ電話番号を用いて、ＩＰ網５及び電話網６を介して、携帯電話２に対して発信を行う（Ｓ２０２）。
【００６０】
続いて、第２制御部９は、携帯電話２から応答信号を受信したか否かを判断する（Ｓ２０３）。なお、応答信号は、携帯電話２の通話ボタンが押されることにより送信される。
【００６１】
携帯電話２から応答信号を受信した場合には（Ｓ２０３：ＹＥＳ）、第２制御部９と携帯電話２との間で通信を確立させる。その後、第２制御部９は、一旦、携帯電話２との間の通信を保留（音声アナウンス等）にした上で（Ｓ２０４）、グループ電話番号を用いて、ＩＰ網５及び電話網６を介して、携帯電話３に対しても発信を行う（Ｓ２０５）。
【００６２】
この際、第２制御部９は、グループ電話番号を用いて携帯電話３に発信を行うため、携帯電話３の表示部には、グループ電話番号が表示されることとなる。
【００６３】
また、この際、携帯電話２にも携帯電話３への発信音が聞こえるので、携帯電話２から見ると、自ら携帯電話３へ発信を行っているように感じられる。
【００６４】
そして、携帯電話３からも応答信号を受信した場合に（Ｓ２０６：ＹＥＳ）、第２制御部９と携帯電話３との間でも通信を確立させる。その後、第２制御部９は、携帯電話２との間の保留を解除することにより、携帯電話２と携帯電話３との間の通信（通話）を確立させる（Ｓ２０７）。
【００６５】
その後、携帯電話２と携帯電話３のいずれかが通話終了ボタンを押すことにより終了信号が送信された場合に（Ｓ２０８：ＹＥＳ）、第２制御部９は、携帯電話２と携帯電話３との間の通信（通話）を解除し（Ｓ２０９）、Ｓ２０１に戻る。
【００６６】
続いて、図５のフローチャートを用いて、図３（ｂ）のＳ１２８においてメール要求が送信された場合の、第２制御部９によるメール制御について説明する。
【００６７】
以下では、図２（ｅ）の通信先選択画面８５及び図３（ｂ）のＳ１２２で、メンバーＢ（携帯電話３）が選択された場合を例に説明する。
【００６８】
この場合には、第２制御部９は、第１制御部８からメール要求を受け取ると（Ｓ３０１：ＹＥＳ）、通信仲介システム１用のメールアドレスを用いて、ＩＰ網５及びインターネット網４を介して、携帯電話３に対してメンバーＡからのメールが通信仲介サイト１１（記憶部７）に記憶されている旨の通知メールを送信する（Ｓ３０２）のみである。
【００６９】
この際、第２制御部９は、通信仲介システム１用のメールアドレスを用いて通知メールを送信するため、携帯電話３の表示部にメンバーＡのメールアドレスが表示されることはない。
【００７０】
通知メールを受け取ったメンバーＢは、通信仲介サイト１１にアクセスして、第２メニュー選択画面８３で”受信メール”ボタン８３３を選択することで、メンバーＡからの受信メールを閲覧することができる。
【００７１】
以上説明したように、本実施の形態による通信仲介システム１では、メンバー間での通信時に、通信仲介サイト１１上の画面及び携帯電話の表示部のいずれにも他のメンバーの個別接続情報は表示されない。これにより、同一グループ内であっても、個人情報が漏れることが防止されている。
【００７２】
また、本実施の形態による通信仲介システム１では、メンバー間で通話を行う際に、グループ電話番号を用いるので、着信者（上記実施の形態では、メンバーＢ）の携帯電話には、グループ電話番号が表示されることとなる。このような構成により、個人情報の秘匿を確保しながらも、グループからの連絡であることは認識することができるような通信仲介サービスの提供が可能となっている。
【００７３】
また、グループＩＤ及びグループパスワードを知っていれば、グループに属するメンバーは、個人情報を自ら記憶部７に登録することができ、個人情報を登録した後には、個人ＩＤ及び個人パスワードを入力しなければ、個人情報にアクセスすることができない。このように、本実施の形態による通信仲介システム１では、個人情報の取り扱いの際に、管理人を含む他人の介入が不要となっており、これにより、同一グループ内の個人情報の秘匿が一層確保されている。
【００７４】
また、本実施の形態では、グループ間の通信をグループ用に割り当てられた一のブロードバンド回線を用いて行っている。このような構成により、通信料金は、メンバーではなく、グループに課されることとなるので、グループで一括して通信料金を管理することが可能となる。
【００７５】
また、通信仲介システム１は、メンバー間の通話の際に、通常の電話よりも低料金なＩＰ電話（ＩＰ網５）を部分的に用いて通話を確立させているので、グループに課される通話料金が抑えられている。
【００７６】
次に、本発明の第２の実施の形態による通信仲介システム１０について、図６を参照して説明する。
【００７７】
第１の実施の形態の構成では、メンバー間の通話はグループ電話番号を用いて行われるので、応答してみるまではグループ内の誰からの着信であるかが分からない。
【００７８】
そこで、本実施の形態による通信仲介システム１０では、図６に示すように、通話ルート１２とは異なる通知ルート１３で、メンバーＢの携帯電話３（スマートフォン）に発信者であるメンバーＡの個人名を送信する。
【００７９】
図６は、第１の実施の形態と同様にメンバーＡからメンバーＢに発信を行った場合の個人名送信について説明する図である。
【００８０】
本実施の形態では、通話ルート１２は、ＩＰ網４と電話網６から構成されており、通知ルート１３は、ＩＰ網５を含むインターネット網４から構成されている。
【００８１】
また、本実施の形態の通知ルート１３では、プッシュ通知サービスを行う既存の外部サーバ１４を利用しており、通信仲介システム１０及び携帯電話３は、プッシュ通知サービスを受けるためのアプリを外部サーバ１４から取得しているものとする。
【００８２】
このような状況の下で、第２制御部９は、第１制御部８から通話要求を受信すると、発信とは別に、携帯電話３を指定して、メンバーＡの個人名を外部サーバ１４に送信する。
【００８３】
外部サーバ１４は、メンバーＡの個人名を受信すると、プッシュ通知を用いて、メンバーＡの個人名を携帯電話３に転送する。その結果、携帯電話３側では、プッシュ通知を受信すると、スマートフォン画面の上部等にメンバーＡの個人名が表示されることとなる。
【００８４】
このように、本実施の形態による通信仲介システム１０では、他のメンバーへの発信の際に、発信とは別に発信者の個人名も送信するので、グループ電話番号を用いて行われるメンバー間の通話であっても、誰からの着信であるかを認識することが可能となる。
【００８５】
しかも、発信者の個人名を送信する際に、発信者の電話番号、メールアドレス等の個別接続情報は送信されないので、個人情報の秘匿も確保されている。
【００８６】
なお、送信された個人名は、少なくとも着信と同時までには着信側の携帯電話へ到着していることが好ましいが、通話ルート１２と通知ルート１３のどちらが早く着信側の通信機器に到達するかは状況により異なる。従って、例えば、着信の方が個人名よりも早く到達するような場合には、意図的に発信を遅らせる等、状況に応じて発信と送信のタイミングを変化させればよい。
【００８７】
尚、本発明の通信仲介システムは、上述した実施の形態に限定されず、特許請求の範囲に記載した範囲で種々の変形や改良が可能である。
【００８８】
例えば、第１の実施の形態では、携帯電話の表示部にはグループ電話番号を表示するものとしていたが、必ずしも表示しなくてもよい。
【００８９】
また、第１の実施の形態における通知メール（図５のＳ３０２）は、第２の実施の形態と同様に、プッシュ通知を利用してもよい。
【００９０】
また、第２の実施の形態では、個人名は、少なくとも着信と同時までに着信側の携帯電話に到達するようにしたが、着信後ワンテンポ遅れて個人名が到達するような構成であっても、発信者の個人名の認識という目的は達成される。
【００９１】
また、第２の実施の形態では、発信者の個人名を送信する際に、外部サーバ１４のプッシュ通知サービスを用いたが、外部サーバ１４を用いずに、通信仲介システム１０から通知メールを送信してもよいし、通信仲介システム１０自らプッシュ通知サービスを行ってプッシュ通知を行ってもよい。
【００９２】
また、上記実施の形態では、記憶部７、第１制御部８、第２制御部９を別体に構成したが、それらのうちの２つ又は全てを一体に構成してもよい。
【００９３】
また、通信仲介サイト１１へは、メンバーの携帯電話からアクセスしてもよいし、パソコン等の他の通信機器からアクセスしてもよい。
【００９４】
また、上記実施の形態では、メンバーの所有する通信機器として、携帯電話（スマートフォン）を用いたが、スマートフォン以外の携帯電話や固定電話を用いてもよい。但し、固定電話の場合には、グループからの連絡であることは認識するためには、表示部を有している方が好ましい。
【００９５】
また、上記実施の形態では、メンバーの携帯電話は、プロバイダとＩＰ電話サービスの契約を締結していなかったが、プロバイダとＩＰ電話サービスの契約を締結していれば、グループに課される通信料金をより抑えることが可能となる。
【００９６】
更に、グループ内の通信仲介サービス１の利用の管理等のために、グループ内における通信履歴を記憶するようにしてもよい。
【００９７】
また、上記実施の形態では、メール送信の際に、通知メールを送信したが、メール内容を直接送ってもよい。但し、その場合には、個人情報の秘匿のために個人メールアドレスは表示せず、どのメンバーからのメールであるか分かるように発信者の名前のみを併せて送信することが好ましい。
【００９８】
また、上記実施の形態では、個人情報には、個人ＩＤ及び個人パスワードを入力しなければアクセスすることができないため、メンバーが登録の削除を行わないでグループから脱退したような場合には、例えば、不要な個別名８５１が通信先選択画面８５に表示され続けるようなことが考えられる。このような状況を想定すると、所定期間に亘って第２入力画面において入力されなかった個別ＩＤ及び個別パスワードに対応するメンバーの個人情報は、通信先選択画面８５に表示させないことが好ましい。
【００９９】
また、学校が各クラスに対して通信仲介システム１を導入するような利用方法も考えられるが、このような場合には、図２（ｂ）の登録画面８２や図２（ｄ）の編集画面８４に、“児童名”入力欄、“学年”入力欄、“クラス”入力欄を設けると同時に、通信先選択画面８５を表示させる前に、学年・クラス選択画面を表示させることが好ましい。
【０１００】
なお、通常、各クラスのメンバーは年度毎に変わるものである。従って、そのような利用の場合には、新年度のクラスのメンバーの個人情報のみを通信先選択画面８５へ表示させ、前年度のクラスのメンバーの個人情報は通信先選択画面８５へ表示させないように第１制御部８が自動的に表示を制御することが好ましい。また、卒業や転校等により、その学校に在籍しなくなった生徒（メンバー）の個人情報に関しては、記憶部７から削除するように制御してもよい。
【０１０１】
また、上記実施の形態では、グループＩＤ及びグループパスワードが設定されていたが、通信仲介サービス１が、グループＩＤ及びグループパスワードの替わりに通信仲介サイト１１でのグループ用のＵＲＬを設定し、グループの管理者が、各メンバーに対して個別ＩＤ及び個別パスワードを発行するような構成であってもよい。その場合には、個別パスワードを変更可能なように編集画面８４を表示させ、各メンバーがグループ用ＵＲＬへの初回アクセス時に個別パスワードを変更するようにすれば、管理者に対する個人情報の秘匿も確保されることとなる。
【０１０２】
なお、通信仲介サイト１１は、学校以外にも、閉鎖的かつ時限的なグループ内における利用に適している。例えば、塾（学習塾、英会話等）、旅行ツアー客、イベント参加者、結婚相談所、プロジェクト参加企業、青年会議所、老人介護系施設、一般企業の営業マン等における利用が考えられる。
【符号の説明】
【０１０３】
１          通信仲介システム
２          携帯電話
３          携帯電話
４          インターネット網
５          ＩＰ網
６          電話網
７          記憶部
８          第１制御部
９          第２制御部
１０      通信仲介システム
１１      通信仲介サイト
１２      通話ルート
１３      通知ルート
１４      外部サーバ
８１      第１メニュー選択画面
８２      登録画面
８３      第２メニュー選択画面
８４      編集画面
８５      通信先選択画面８１-８５
【図１】
2014225856.tif 000003
【図２（ａ）】
2014225856.tif 000004
【図２（ｂ）】
2014225856.tif 000005
【図２（ｃ）】
2014225856.tif 000006
【図２（ｄ）】
2014225856.tif 000007
【図２（ｅ）】
2014225856.tif 000008
【図３（ａ）】
2014225856.tif 000009
【図３（ｂ）】
2014225856.tif 000010
【図４】
2014225856.tif 000011
【図５】
2014225856.tif 000012
【図６】
2014225856.tif 000013